(57)【要約】      （修正有）【課題】収納ラックのブランク空間に配置され、配線の処理、電子機器の排熱性、排気性の確保を容易にしたラック実装ブランクユニットを提供する。【解決手段】ラック実装ブランクユニット１は、メインプレート３ａと該メインプレートの両側端部に設けられた二つの側面プレート３ｂを有し、略コの字状断面を呈する本体３と、二つの側面プレート間に延設されたパイプ５と、メインプレート３ａの前方端部及び後方端部に設けられたリブ７とを有する。本体３の正面及び下面はほぼ全面にわたって開口され、二つの側面プレート３ｂの少なくとも一方の後側には切り欠き３ｃが設けられている。【選択図】図２
2006024818.tif 000002
【特許請求の範囲】
【請求項１】
メインプレートと前記メインプレートの両側端部に設けられた二つの側面プレートを有し、略コの字状断面を呈する本体と、
前記二つの側面プレート間に延設されたパイプと、
前記メインプレートの前方端部及び後方端部に設けられたリブとを有し、
前記本体の正面及び下面はほぼ全面にわたって開口され、
前記二つの側面プレートの少なくとも一方の後側には切り欠きが設けられた、ラック実装ブランクユニット。
【請求項２】
前記本体正面に着脱可能に設けられた前面パネルを更に有する、請求項１に記載のラック実装ブランクユニット。
【請求項３】
前記前面パネルにルーバーが形成された、請求項２に記載のラック実装ブランクユニット。
【請求項４】
前記側面プレートの端部から、水平方向に延設された受けプレートを更に有する、請求項１ないし３のいずれか１項に記載のラック実装ブランクユニット。
【請求項５】
前記受けプレートの前端と前記パイプが接触した、請求項４に記載のラック実装ブランクユニット。
【発明の詳細な説明】
【技術分野】
【０００１】
本発明は、電子機器等の収納に用いられるラックに適用されるラック実装ブランクユニットに関する。
【背景技術】
【０００２】
無線基地局等において使用される、電子機器収納用の収納ラックは、複数の電子機器をまとめて収納するために用いられる。電子機器には多くの配線が使用され、配線の整理、保護といった処理は困難なものとなる。
【０００３】
また、電子機器は多くの熱を排出するため、収納ラックに配置された際においても、排熱対策は十分に考慮する必要がある。
【０００４】
【特許文献１】特開平０３−１４２８９９号公報
【発明の開示】
【発明が解決しようとする課題】
【０００５】
収納ラックに電子機器を垂直方向に並べて固定する場合、電子機器が上下方向で隣接した状態で配置されることあがる。このような場合、電子機器の前面から延設された配線の処理が面倒となる。また、特に下側の電子機器が上面から排気を行うタイプの場合、その排熱効率を下げるおそれがある。
【０００６】
上下の電子機器が隣接していない場合であっても、収納ラックに電子機器を固定する際、特に携帯電話装置の基地局システム等では電子機器の自重により特に電子機器の後端が下がり、下方の電子機器に悪影響を及ぼすおそれがある。
【０００７】
本発明は、収納ラックのブランク空間に配置され、配線の処理、電子機器の排熱性、排気性の確保を容易にしたラック実装ブランクユニットを提供する。
【課題を解決するための手段】
【０００８】
本発明のラック実装ブランクユニットは、メインプレートとその両側端部に設けられた二つの側面プレートを有し、略コの字状断面を呈する本体と、二つの側面プレート間に延設されたパイプと、メインプレートの前方端部及び後方端部に設けられたリブとを有する。そして、本体の正面及び下面はほぼ全面にわたって開口され、二つの側面プレートの少なくとも一方の後側には切り欠きが設けられている。
【０００９】
着脱可能な前面パネルを本体正面に設けてもよい。また、この前面パネルにルーバーを形成してもよい。
【００１０】
側面プレートの端部から、水平方向に延設された受けプレートを設けてもよい。更にこの受けプレートの前端とパイプが接触した構成としてもよい。
【発明の効果】
【００１１】
本発明のラック実装ブランクユニットによれば、電子機器の配線処理及び排熱性を確保するスペースを容易に確保でき、電子機器の配線処理作業を容易にすることができる。
【発明を実施するための最良の形態】
【００１２】
以下、本発明の実施形態について図面を用いて説明する。
【００１３】
図１及び図２に示すように、本発明のラック実装ユニット１は、本体３と、パイプ５と、リブ７を有する。図３及び図４に示すように、ラック実装ユニット１は、Ｌ型アングル９によりラック１５に固定される。この固定には、ボルト１１、ワッシャー１３が用いられている。
【００１４】
本体３は、メインプレート３ａとその両側端部に設けられた二つの側面プレート３ｂを有しているため、略コの字状断面を呈する。そして本体３の正面及び下面は、Ｓ１，Ｓ２によって示されているように、ほぼ全面にわたって開口されている。本実施形態では、背面も開口されている（Ｓ３）。
【００１５】
二つの側面プレート３ｂの後側には切り欠き３ｃが、側面プレート３ｂの長手方向と同一方向に沿って延設されている。切り欠き３は一つの側面プレートのみに設けてもよい。
【００１６】
本体３の裏面（ラック実装ユニット１の下面）には、二つの側面プレート３ｂ間に延設されたパイプ５が補強のため設けられている。パイプ５もボルト１１によって、側面プレート３ｂに固定されている。
【００１７】
メインプレート３ａの前方端部及び後方端部には、メインプレート３ａの幅方向に延設されたリブ７が設けられている。
【００１８】
また、本体３の裏面（ラック実装ユニット１の下面）において、二つの側面プレート３ｂの端部から、受けプレート１７が水平方向に延設されている。受けプレート１７は、側面プレート３ｂの前後方向略中央において形成されている。受けプレート１７は一つの側面プレートのみに設けてもよい。
【００１９】
本実施形態においては、受けプレート１７の前端とパイプ５が接触し、強度がより高められている。
【００２０】
図３の例では、前面パネル１９が、ラック実装ブランクユニット１の正面（本体３の正面）に着脱可能に設けられている。この前面パネル１９には、電子機器の排気、排熱を促すためのルーバー１９ａが形成されている。もちろん、前面パネル１９の装着は任意である。本例では、ラック実装ブランクユニット１を、電子機器２１の直上に配置している。ルーバー１９ａにより、電子機器２１に排気排熱は、ラック実装ブランクユニット１の前面側でも行われる。
【００２１】
図４は、本発明のラック実装ブランクユニット１を、他の電子機器２３の直上に配置し、更にカバー２５をラック実装ブランクユニット１の直上に配置した例を示す。カバー２５は、ラック１５に固定される連結部２５ａを有し、その正面部２５ｂは、ラック実装ブランクユニット１、電子機器２３の正面部よりも後退して配置されている。
【００２２】
ラック実装ブランクユニット１の上面及びカバー２５の正面部２５ｂより、棚として利用可能な段部２７が形成される。
【００２３】
上述したように、本発明のラック実装ユニットにおいては、本体の正面がほぼ全面にわたって開口されている。そのため、ユニットの上下に配置された電子機器の配線を、ユニットの正面から挿入し、後方にガイドすることができる。これにより、配線の処理を容易かつ確実なものとすることができる。また、下方に配置された電子機器の排熱、排気性を十分に確保することができる。
【００２４】
また、本発明のラック実装ユニットにおいては、本体の下面もほぼ全面にわたって開口されているため、下方に配置された電子機器の排熱、排気を十分に確保することができる。とりわけ、下側の電子機器が上面から排気を行うタイプの場合に本発明のラック実装ユニットは有用である。さらに、側面プレートの後側には切り欠きが設けられており、電子機器の排熱、排気効率をより向上させることができる。
【００２５】
また、二つの側面プレート間にはパイプが延設され、メインプレートの前方端部及び後方端部にはリブが設けられており、所定の強度が確保されている。
【００２６】
また、収納ラックに電子機器を固定する際、電子機器の自重により特に電子機器の後端が下がり、下方の電子機器に悪影響を及ぼすおそれがある。このような垂れ下がりを防ぐため、電子機器の前方においてＬ型アングルを用いて電子機器をラックに固定することが行われている。
【００２７】
上述の作業下、本発明のラック実装ユニットの上に電子機器をラックに固定する際において、ラックに適していないＬ型アングルを用いる場合であっても、電子機器を固定する際、ラック実装ユニットが電子機器を支える役割を果たすため、取り付け作業の効率化が図られる。
【００２８】
また、側面プレートのメインプレートに接する端部とは逆側の端部には受けプレートが設けられているため、ラック実装ユニットが直下の電子機器上に安定して配置され得る。
【００２９】
ラック実装ユニットの各構成部分については、その形状、数等の変更は本願の効果が得られる限り自由であり、特に限定はされない。
【００３０】
以上、本発明の各種実施形態を説明したが、本発明は前記実施形態において示された事項に限定されず、特許請求の範囲及び明細書の記載、並びに周知の技術に基づいて、当業者がその変更・応用することも本発明の予定するところであり、保護を求める範囲に含まれる。
【産業上の利用可能性】
【００３１】
本発明によれば、電子機器の配線処理及び排熱、排気性を確保するスペースを容易に確保でき、電子機器の配線処理を容易にするラック実装ブランクユニットが提供される。
【図面の簡単な説明】
【００３２】
【図１】本発明のラック実装ブランクユニットを上方から見た斜視図
【図２】本発明のラック実装ブランクユニットを下方から見た斜視図
【図３】本発明のラック実装ブランクユニットの収納ラックへの取り付け方法を示す斜視図
【図４】本発明のラック実装の一使用例を示す斜視図
【符号の説明】
【００３３】
１    ラック実装ユニット
３    本体
５    パイプ
７    リブ
９    Ｌ型アングル
１１  ボルト
１３  ワッシャー
１５  ラック１５
１７  受けプレート
１９  前面パネル
２１，２３  電子機器
２５  カバー
２７  段部
【図１】
2006024818.tif 000003
【図２】
2006024818.tif 000004
【図３】
2006024818.tif 000005
【図４】
2006024818.tif 000006